(57)【要約】【課題】連結キャビネットを吊下方式とすることで、連結キャビネットのけこみ部の有効利用面積を大きくとることができると共に、連結キャビネットの抽斗やトレーボードの間口寸法を大きくとることができるキャビネットを提供する。【解決手段】隣接するキャビネット２，３間に配設される連結キャビネット１０の上端両側部に係止片部１３，１３をキャビネット外方に向かって延設し、これら各係止片部１３，１３を、上記隣接するキャビネット２，３の連結キャビネット側に凹設された係止段部２Ｃ，３Ｃに載置して吊り下げ保持し、適所に螺装されたねじ１８で隣接するキャビネット２，３に固着するように構成した。【選択図】      図３
2004254912.tif 000002
【特許請求の範囲】
【請求項１】
隣接するキャビネット間に配設される連結キャビネットの上端両側部に係止片部をキャビネット外方に向かって延設し、これら各係止片部を、上記隣接するキャビネットの連結キャビネット側に凹設された係止段部に載置して吊り下げ保持し、適所に螺装されたねじで該連結キャビネットを隣接するキャビネットに固着することを特徴とするキャビネット。
【請求項２】
前記連結キャビネットの高さ寸法を、前記隣接するキャビネットの底部までの高さ寸法と略同一に形成すると共に、該連結キャビネットの上下方向に複数段の抽斗を引き出し自在に装着したことを特徴とする請求項１に記載のキャビネット。
【請求項３】
前記連結キャビネットの高さ寸法を、前記隣接するキャビネットの底部までの高さ寸法よりも小さく形成すると共に、該連結キャビネットには１段の抽斗を引き出し自在に装着し、かつ、上記連結キャビネットの下方空間部には、連結フレームを架設し、該連結フレームの両端部を隣接するキャビネットの側部にビス止め固定したことを特徴とする請求項１に記載のキャビネット。
【請求項４】
前記連結キャビネットの上面は、トレーボードとして使用可能に構成されていることを特徴とするキャビネット。
【発明の詳細な説明】
【０００１】
【発明の属する技術分野】
この発明は、例えば、ガスキャビネットとシンクキャビネットとの間に連結キャビネットを配置したキャビネットに係り、特に、連結キャビネットのトレーボードや引出しの間口寸法を大きくすることができるキャビネットに関する。
【０００２】
【従来の技術】
従来、システムキッチンを厨房室に設置する場合、特許文献１に示すように、設置場所の間口寸法に対応させてガスキャビネットとシンクキャビネットとの間に連結キャビネットを配置する場合が多い。
【０００３】
【特許文献１】
特開平６−１９７８１７号
【０００４】
ところで、従来の連結キャビネットの配置構造を図８に基づき説明すると、該連結キャビネット１は、ガスキャビネット２とシンクキャビネット３との間に配置され、該連結キャビネット１の底部には脚部４，４を取り付けて、該連結キャビネット１を自立させているのが一般的である。
【０００５】
【発明が解決しようとする課題】
しかしながら、上記従来の連結キャビネット１の連結構造にあっては、自立させるための脚部４，４を連結キャビネット１の底部に配置する構造であるため、該連結キャビネット１のけこみ部５の間口寸法Ｄ１が狭められる他、連結キャビネット１を自立させるために、連結キャビネットの側壁部等に強度補強用フレーム６，６を用いなければならないため、抽斗７，７，７やトレーボード８の間口寸法Ｄ２も狭められ、有効利用を大きく取ることができない、という問題を有していた。
【０００６】
この発明は、かかる現状に鑑み創案されたものであって、その目的とするところは、連結キャビネットを吊下方式とすることで、連結キャビネットのけこみ部の有効利用面積を大きくとることができると共に、連結キャビネットの抽斗やトレーボードの間口寸法を大きくとることができるキャビネットを提供しようとするものである。
【０００７】
【課題を解決するための手段】
上記目的を達成するため、この発明に係るキャビネットにあっては、隣接するキャビネット間に配設される連結キャビネットの上端両側部に係止片部をキャビネット外方に向かって延設し、これら各係止片部を、上記隣接するキャビネットの連結キャビネット側に凹設された係止段部に載置して吊り下げ保持し、適所に螺装されたねじで該連結キャビネットを隣接するキャビネットに固着することを特徴とするものである。
【０００８】
この場合、前記連結キャビネットの高さ寸法は、請求項２に記載したように、前記隣接するキャビネットの底部までの高さ寸法と略同一に形成すると共に、該連結キャビネットの上下方向に複数段の抽斗を引き出し自在に装着して構成し、或は、請求項３に記載したように、前記連結キャビネットの高さ寸法を、前記隣接するキャビネットの底部までの高さ寸法よりも小さく形成すると共に、該連結キャビネットには１段の抽斗を引き出し自在に装着し、かつ、上記連結キャビネットの下方空間部には、連結フレームを架設し、該連結フレームの両端部を隣接するキャビネットの側部にビス止め固定するのが望ましい。
【０００９】
また、この発明にあっては、請求項４に記載したように、前記連結キャビネットの上面を、トレーボードとして使用可能に構成するのが望ましい。
【００１０】
【発明の実施の形態】
以下、添付図面に示す発明の実施の形態例に基づいて、この発明を詳細に説明する。
【００１１】
図１乃至図４は、この発明の実施の第１形態例に係るシステムキッチンを示しており、この形態例に係るシステムキッチンは、ガスキャビネット２とシンクキャビネット３と、これら各キャビネット２，３の間に配設された連結キャビネット１０と、から構成されている。尚、上記ガスキャビネット２とシンクキャビネット３は、従来のこれら各キャビネットと同様に構成されており、その底部に取り付けられた脚２Ａ及び３Ａによって自立するように構成されている。
【００１２】
一方、この形態例に係る連結キャビネット１０は、キャビネット本体１１の天板部１２の上端両側部に桟状に形成された係止片部１３，１３がキャビネット外方に向かって延設されていると共に、上記キャビネット本体１１には、３段の抽斗１４，１５，１６が引き出し自在に収納されて構成されている。
【００１３】
また、上記キャビネット本体１１は、その材質及び奥行寸法と高さ寸法が、ガスキャビネット２及びシンクキャビネット３の材質及び奥行寸法と側板２Ｂ，３Ｂの高さ寸法と同一となるように構成されており、該キャビネット本体１１の底板部には、従来例のような自立させるための脚が設けられていない。
【００１４】
そして、上記各係止片部１３，１３は、上記隣接するガスキャビネット２及びシンクキャビネット３の上記側板２Ｂ，３Ｂの上端部に凹設された係止段部２Ｃ，３Ｃに載置され、該連結キャビネット１０が両キャビネット２，３の間に吊り下げ保持されるように構成されている。
【００１５】
尚、この形態例では、図３に示すように、連結キャビネット１０の天板部１２の四隅部に開設されたねじ孔１７に挿通されたねじ１８で、該連結キャビネット１０をガスキャビネット２の側板２Ｂ及びシンクキャビネット３の側板３Ｂの上端部に固定し、かつ、連結キャビネット１０の下側は、抽斗１６の収納部下部に形成された下框部１９の両側端部に開設されたねじ孔２０に挿通されたねじ２１を介してガスキャビネット２の側板２Ｂ及びシンクキャビネット３の側板３Ｂの下端部に固定され、該連結キャビネット１０は、堅牢にガスキャビネット２とシンクキャビネット３との間に吊下げ保持される。勿論、この発明にあっては、連結キャビネット１０をねじ止め固定するのではなく、ボルトナット或は接着剤等で固着してもよい。
【００１６】
この形態例に係るシステムキッチンは、以上説明したように、連結キャビネット１０をガスキャビネット２とシンクキャビネット３との間に吊下げ保持するように構成したので、連結キャビネット１０のけこみ部２２に邪魔な脚が存在せず、その結果、該けこみ部２２の有効寸法を広く確保し有効利用することができると共に、連結キャビネット１０を自立させる必要がなくなることから、キャビネット本体１１を強度確保用のフレームで補強する必要がなくなり、その分、側板等を薄く形成することができるので、抽斗１４，１５，１６や天板部１１のトレーボード２３の間口寸法を大きく取ることができる。
【００１７】
図５乃至図７は、この発明の実施の第２形態例に係るシステムキッチンを示しており、この形態例では、連結キャビネット３０を、１段の抽斗３１が引き出し自在に構成して、該連結キャビネット３０の下方空間３２が大きく取れるように構成すると共に、ガスキャビネット２とシンクキャビネット３との奥行側脚２Ａ，３Ａの下部に、その長さが両キャビネット２，３間の寸法と同一に形成されてなる連結補強フレーム３５をねじ３８で固定して連結するように構成した他は、他の構成は前記第１形態例と同様であるので、図面には、第１形態例と同一の符号を付して、その詳細な説明をここでは省略する。
【００１８】
即ち、この形態例では、上記連結キャビネット３０は、キャビネット本体の天板部の上端両側部に、桟状に形成された係止片部３３，３３がキャビネット外方に向かって延設されており、該各係止片部３３，３３は、上記隣接するガスキャビネット２及びシンクキャビネット３の上記側板２Ｂ，３Ｂの上端部に凹設された係止段部２Ｃ，３Ｃに載置することで、該連結キャビネット３０を両キャビネット２，３の間に吊り下げ保持されるように構成されている。
【００１９】
また、この形態例においても、連結キャビネット３０は、その天板部の四隅部に開設されたねじ孔３７に挿通されたねじ３８で、該連結キャビネット３０をガスキャビネット２の側板２Ｂ及びシンクキャビネット３の側板３Ｂの上端部に固定されると共に、該連結キャビネット３０の下側は、抽斗３６の収納部下部に形成された下框部の両側端部に開設されたねじ孔（図示せず）に挿通されたねじを介してガスキャビネット２の側板２Ｂ及びシンクキャビネット３の側板３Ｂの手前側に固定される。
【００２０】
この形態例に係るシステムキッチンにあっては、以上説明したように、上記連結キャビネット３０の高さ寸法を小さく形成することで、該連結キャビネット３０の下部空間３２を大きく取ることができ、該下部空間３２をビンやワゴン等の収納スペースとして利用することができ、使い勝手が大幅に拡大する、という効果を得ることができる。
【００２１】
尚、上記形態例では、連結キャビネット１０，３０をガスキャビネット２とシンクキャビネット３との間に吊下げ保持する場合を例にとり説明したが、この発明にあってはこれに限定されるものではなく、連結キャビネット１０，３０を他の隣接するキャビネット間に吊下げ保持させてもよく、また、連結キャビネットは、抽斗が１段或は３段の図示例に限定されるものではなく、用途に対応させて様々なバリエーションで構成することもできる。
【００２２】
【発明の効果】
以上説明したように、請求項１に記載の発明にあっては、隣接するキャビネット間に配設される連結キャビネットの上端両側部に係止片部をキャビネット外方に向かって延設し、これら各係止片部を、上記隣接するキャビネットの連結キャビネット側に凹設された係止段部に載置して吊り下げ保持し、適所に螺装されたねじで該連結キャビネットを隣接するキャビネットに固着するように構成したので、連結キャビネットを吊下方式とすることができ、その結果、連結キャビネットのけこみ部の有効利用面積を大きくとることができると共に、連結キャビネットの抽斗やトレーボードの間口寸法を大きくとることができる
【００２３】
また、請求項２に記載の発明にあっては、前記連結キャビネットの高さ寸法を、前記隣接するキャビネットの底部までの高さ寸法と略同一に形成すると共に、該連結キャビネットの上下方向に複数段の抽斗を引き出し自在に装着して構成したので、請求項１に記載の発明の効果に加え、システムキッチンとしての意匠的な統一性を得ることができる。
【００２４】
さらに、請求項３に記載の発明にあっては、前記連結キャビネットの高さ寸法を、前記隣接するキャビネットの底部までの高さ寸法よりも小さく、例えば、１段の抽斗を引き出し自在に形成すると共に、上記連結キャビネットの下方空間部には、連結フレームを架設し、該連結フレームの両端部を隣接するキャビネットの側部にビス止め固定して構成したので、請求項１に記載の発明の効果に加え、連結キャビネットの下方空間を、ビンやワゴンの収納スペースとして利用することができ、使い勝手が向上する、という効果が得られる。
【００２５】
尚、この発明にあっては、請求項４に記載したように、前記連結キャビネットの上面をトレーボードとして使用可能に構成することで、鍋等の調理器具を載せたり、調理スペースとしても活用することができる。
【図面の簡単な説明】
【図１】この発明の実施の第１形態例に係る連結キャビネットが吊下げ保持されるシステムキッチン例を示す斜視図である。
【図２】同連結キャビネットを吊下げ保持したシステムキッチンの要部を示す正面図である。
【図３】同連結キャビネットの取り付け状態を示す分解斜視図である。
【図４】同連結キャビネットの取り付け前の状態を示す正面図である。
【図５】この発明の実施の第２態例に係る連結キャビネットの取り付け状態を示す分解斜視図である。
【図６】同連結キャビネットの下部に配設される連結補強フレームの取り付け状態を示す分解斜視図である。
【図７】同連結キャビネットの取り付け前の状態を示す正面図である。
【図８】従来の連結キャビネットの取り付け状態を示す正面図である。
【符号の説明】
２  ガスキャビネット
２Ｂ  ガスキャビネットの側板
２Ｃ  係止段部
３  シンクキャビネット
３Ｂ  シンクキャビネットの側板
３Ｃ  係止段部
１０，３０  連結キャビネット
１１  キャビネット本体
１３，３３  係止片部
１４，１５，１６，３１  抽斗
２１，３８  ねじ
２２  けこみ部
２３  トレーボード
３２  下方空間
【図１】
2004254912.tif 000003
【図２】
2004254912.tif 000004
【図３】
2004254912.tif 000005
【図４】
2004254912.tif 000006
【図５】
2004254912.tif 000007
【図６】
2004254912.tif 000008
【図７】
2004254912.tif 000009
【図８】
2004254912.tif 000010